(57)【特許請求の範囲】
【請求項１】
枠１に軸２を設け前記軸２の回りに回転子３を配置し、前記枠１の脚にベルト支持片５を設けて、回転子３とベルト支持片５に回転ベルト印４を懸架させ、前記ベルト支持片５により張設して回転印部２６としており、該回転印部２６を覆う外装体９の下部には、マスター印受１６を上下摺動可能に螺子１２とナット１３で支持し、前記マスター印受１６は、マスター印１７と回転ベルト印４を露呈する窓１８と円周状の段３２を有し、外周に外周印部１９を回転可能に設け、前記枠１の上部よりねじ６を立設させ、該ねじ６には、上部に握り部１１を、下部に外装体９を挟着保持した調節用ナット７を螺子嵌合し、前記調節用ナット７を回転させることによって前記回転ベルト印４の高さ調節機構を有する回転印において、前記マスター印受１６の外周面もしくは外周印部１９の内径面のうちどちらか一方に溝２２を設け、他方にリブ２３を設けることによって、前記マスター印受１６に前記外周印部１９が回転可能かつ着脱自在に嵌着されていることを特徴とする回転印。
【請求項２】
前記マスター印受１６はマスター保持部１４とマスター小印部３４とからなり、前記マスター保持部１４には回転ベルト印４を露呈する窓１８と保持溝２８と円周状の段３２を設け、前記マスター小印部３４には回転ベルト印４を露呈する孔３１と下面にマスター印１７と上面に爪２７を設け、前記外周印部１９の内径面にはリブ２３Ａを円周状に設け、前記リブ２３Ａが前記段３２とマスター小印部３４の上面とによって回転可能に挟着保持されるように、前記保持溝２８と前記爪２７を着脱自在に係合保持したことを特徴とする請求項１に記載した回転印。
【請求項３】
前記外周印部１９の上面と段３２のどちらか一方に凸部３５、他方に凹部３６を設けて、外周印部１９を一定間隔で摺動回転制御できることを特徴とする請求項１または、請求項２に記載した回転印。
【発明の詳細な説明】
【０００１】
【産業上の利用分野】
本発明は、回転ベルト印を有し、回転ベルト印の下方端から露呈する位置にマスター印を有して、前記回転ベルト印とマスター印が同一平面に捺印可能な高さ調節機構を有し、更に、マスター印には回転可能な外周印を有する回転印に関するものである。
【０００２】
【従来の技術】
従来よりこの種の発明・考案は、単に回転印の下方端に固定印（マスター印）を設けたものがある。この種の出願は、実公昭５５−１３０６４号（以下、（イ））、実公昭６０−２１２３６号（以下、（ロ））、実公平３−２５９７４号（以下、（ハ））、実公昭５３−６５０９号（以下、（ニ））、実公昭５３−５１２０７号（以下、（ホ））がある。
（イ）は、回転印に着脱印部を設けたものであり、本願とは構成を異にしている。
（ロ）は、携帯に便利な固定印を設けた回転印であり、回転子２２を一部露呈しており、回転印本体６の上下位置を調整可能としている。しかし、（ロ）は、固定印のみでその周りには印字体は存在しないので、本発明の目的・構成を異にしている。
【０００３】
（ハ）は、本願出願人と同じであり、考案自体はマスター印の構成部分であるが、本発明の目的と構成とは明らかに異なるものである。
（二）は、中央に主印字体を配し、該主印字体の外周に副印字を配置した印判である。本発明と同じ外周印部（副印体）を設けているが、該外周印部を回転させる構造は複雑になっている。
また更に、外周印部（副印体）が取り替え不可能となっているため日付けの印面であった場合に、時間の印面に変更したいとしても変えることは不可能である。
（ホ）は、（二）と同様な問題点を有し、構成的にも本発明と異にしている。
したがって、印章業界で通称いわれている回し文字を有する回転印、もしくは、普通の固定印では回し文字部分（外周印部又は副印体）の交換が容易にできないといった問題点を有する。
【０００４】
【発明が解決しようとする課題】
以上のように、従来から回し文字（外周印部又は副印体）を使用した回転印では、異なった印面を所望する際、着脱可能で無いので回し文字とその中にある固定印を両方交換しなければならない。
また、固定印全体を取り替えるといったコストのかかる問題点も生じる。
更に、回し文字（外周印部又は副印体）と、その中に配置される固定印、回転ベルト印の３者の組合せが容易に、自由に行なえないといった問題点もある。
図１、図２にあるように、外周印の印面Ｌ、固定印（マスター印字部）の印面Ｓ、回転ベルト印の印面Ｈといった場合、印面Ｌを印面ＬＬに変えたり、または、印面Ｓを印面ＳＳに変えたり容易にすることは出来ない。
こうした、問題点を解決する為に回し文字（外周印部又は副印体）と固定印との組合せを自由に行えるような回転印を提供する。
【０００５】
【課題を解決するための手段】
枠１に軸２を設け前記軸２の回りに回転子３を配置し、前記枠１の脚にベルト支持片５を設けて、回転子３とベルト支持片５に回転ベルト印４を懸架させ、前記ベルト支持片５により張設して回転印部２６としており、該回転印部２６を覆う外装体９の下部には、マスター印受１６を上下摺動可能に螺子１２とナット１３で支持し、前記マスター印受１６は、マスター印１７と回転ベルト印４を露呈する窓１８と円周状の段３２を有し、外周に外周印部１９を回転可能に設け、前記枠１の上部よりねじ６を立設させ、該ねじ６には、上部に握り部１１を、下部に外装体９を挟着保持した調節用ナット７を螺子嵌合し、前記調節用ナット７を回転させることによって前記回転ベルト印４の高さ調節機構を有する回転印において、前記マスター印受１６の外周面もしくは外周印部１９の内径面のうちどちらか一方に溝２２を設け、他方にリブ２３を設けることによって、前記マスター印受１６に前記外周印部１９が回転可能かつ着脱自在に嵌着されていることを特徴とする回転印であり、また、前記マスター印受１６はマスター保持部１４とマスター小印部３４とからなり、前記マスター保持部１４には回転ベルト印４を露呈する窓１８と保持溝２８と円周状の段３２を設け、前記マスター小印部３４には回転ベルト印４を露呈する孔３１と下面にマスター印１７と上面に爪２７を設け、前記外周印部１９の内径面にはリブ２３Ａを円周状に設け、前記リブ２３Ａが前記段３２とマスター小印部３４の上面とによって回転可能に挟着保持されるように、前記保持溝２８と前記爪２７を着脱自在に係合保持したことを特徴とする請求項１に記載した回転印であり、また、前記外周印部１９の上面と段３２のどちらか一方に凸部３５、他方に凹部３６を設けて、外周印部１９を一定間隔で摺動回転制御できることを特徴とする請求項１または、請求項２に記載した回転印である。
【０００６】
【作用】
本発明の回転印は、マスター印部１５のマスター印受１６に設けられた上方に立設した１対の脚３０を螺子１２とナット１３で螺子嵌合し、保持している。
マスター印部１５のマスター印１７もしくは、外周印２１を交換するには、前記の螺子１２とナット１３の螺子嵌合を緩めてマスター印部１５を外装体９に沿って下方に摺動させ、窓１８から回転ベルト印４の露呈しない状態にする。
次に、本発明の各実施例の交換について説明する。
【０００７】
まず第１の実施例は、外周印受２０の上面に設けた切欠２４にコインや指等を差し込んでねじれば、マスター印受１６と外周印受２０の嵌合を解除し、前記外周印受２０と前記マスター印受１６を分離することが出来る。
この時、外周印受２０は、回転可能にマスター印受１６に組み付けられており、無理抜きで分離可能としている。そして、外周印２１を有する外周印部１９を異なる印面を有する外周印部に取り換えて、上記とは逆に無理入れを行い外周印部１９を回転可能にして、リブ２３と溝２２を嵌合させる。
この時、外周印受２０と段３２のどちらか一方に凸部３５を設け、他方に凹部３６を設けて、外周印部１９を一定間隔で位置出来ることも可能である。
【０００８】
第２の実施例は、所望する印面を持ったマスター印１７を有するマスター印受１６Ａと所望する印面を持った外周印部１９Ａとを自由に組合わせることが出来る。組み付け状態は、段３２とリブ２３Ａを位置合わせして載せた状態でマスター印１７を有するマスター印受１６Ａの爪２７を保持爪挿入口２９に挿入して、孔３１と窓１８が一致するまでマスター印受１６Ａを回転させ、マスター印１７を有するマスター印受１６Ａと外周印部１９Ａを組み付けている。
前記した両者（マスター印部１５Ａと外周印部１９Ａ）を分離するのは上記と逆を行なえばよい。
この時、前記した第１の実施例ように凸部３５と凹部３６を設けることが可能である。
【０００９】
【実施例】
本発明の第１の実施例を図３、図４、図５、図６、図７より詳細に説明する。
１は、コ字状の枠であり、中間位置に軸２を支持しており、数個の回転子３を回転自在に前記軸２により軸支している。更に、一つ一つの回転子３には、回転子３と同数の回転ベルト印４を懸架させ、ベルト支持片５により回転ベルト印４を張設している。枠１の上端にはねじ６を立設させており、下から回転自在に調節用ナット７を設け、更に間隔をもって固定ナット８を有する握り部１１をねじ６の上方に螺子嵌合している。こうして握り部１１は螺子嵌合して調節板１０を外装体９の上端に圧着して、調節板１０を固定している。
前記調節用ナット７には、外装体９が狭着保持されている。更に、調節板１０の内径が前記調節用ナット７に当接している。
【００１０】
これにより、握り部１１を緩めると調節板１０への圧着が解かれ、調節板１０は回転可能となり調節用ナット７を回転させることができ、該作動により回転印部２６が外装体９の中を上下に摺動自在となる。こうして、マスター印部１５の印面高さと回転ベルト印４の高さ調節を行うことができる。
１５は、マスター印部であり、どちらか１面に１対の相対する脚３０を立設しており、螺子１２とナット１３により外装体９に保持されている。
前記マスター印部１５は、マスター印受１６の下方端面にマスター印１７を設けて、マスター印受１６の中央に窓１８を設けて回転ベルト印４の先端コマを露呈している。更に、マスター印受１６の周縁部下面には段３２を設けている。
【００１１】
１９は、外周印部であり、外周印受２０と前記外周印受２０の下端面に外周印２１を設けている。前記外周印部１９は、段３２と当接している。
外周印受２０の上部面には、切欠２４が少なくとも２箇所に設けられており、コインや指等が挿入され抉開けて分離可能としている。
マスター印受１６の外周面に溝２２を周状に設けて、該外側に外周印部１９を設けて前記外周印部１９の内径面に前記溝２２と回転自在に係合するリブ２３を設けて、外周印部１９を回動させている。
また、回転印部２６は、枠１、回転子３、回転ベルト印４、ベルト支持片５、ねじ６、軸２からなるものである。
【００１２】
本実施例は、マスター印１７、外周印２１を直接貼りつけて保持しているが、前記したマスター印１７と外周印２１は受部材でそれぞれマスター印受１６と外周印受２０に保持されていても良い。
外周印受２０の上面と、段３２の面のどちらか一方に凸部３５を設け、他方に凹部３６を設けて、外周印部１９を一定間隔で摺動回転する位置決めを制御可能としている。
【００１３】
外周印部１９の取り外しについて、リブ２３の断面形状は半円形状をしており、前記溝２２に無理入れして組み付けている。
外周印受２０の上面に設けられた切欠２４にコインもしくは指等を挿入して無理抜きを行なえば外周印部１９のみ取り外しが可能である。
こうして、別の印面をもつ外周印部１９と取り替えが可能である。
次にマスター印受２０は、前述の通り螺子１２とナット１３により外装体９に保持されているので、螺子１２とナット１３を緩めるとマスター印部１５は取り外すことが出来る。
【００１４】
本発明の第２の実施例を図８、図９、図１０、図１１、図１２により詳細に説明する。
マスター印部１５Ａは、マスター保持部１４とマスター小印部３４と外周印部１９Ａからなる。
１４は、前述したマスター保持部であり、中央に回転ベルト印４を挿入し窓１８から露呈可能とする窓１８を設けて、どちらか１面に１対の相対する脚３０を立設している。また、前記脚３０を立設した反対面に一部円周を形成する保持溝２８が１対、前記窓１８を中心に相対する位置に設けられている。
更に、保持溝２８のどちらか一方端の位置に、相対する位置に１対の保持爪挿入口２９を設けている。また更に、保持溝２８の外周に一段低い円周状の段３２を設けている。
本実施例の保持溝２８は、図９ではマスター保持部１４の内部に設けられているが、前記マスター保持部１４の上面に設けて、マスター小印部３４を保持しても本実施例の意図するところである。
【００１５】
３４は、マスター小印部であり、中央に回転ベルト印４を露呈する孔３１が設けられ、下面にはマスター印１７を設け、上面には１対の相対する爪２７を設けている。
１９Ａは、外周印部であり内径面にはリブ２３Ａを円周状に設けており、下面に外周印２１を有している。
【００１６】
マスター印部１５Ａの組み付け方法について、説明する。
マスター保持部１４の段３２と外周印受２０Ａのリブ２３Ａとを位置合わせをして載せた状態で、マスター小印字部３４のマスター印受１６Ａの爪２７をマスター保持部１４の下面に設けられた保持爪挿入口２９に挿入し、左に前記マスター小印字部３４もしくは外装体９を回転させて孔３１と窓１８が一致するまで回転させる。本実施例では回転は９０度以下の回転角度で回転させているが、この回転角度は特には問はない。
こうして、外周印部１９Ａは、マスター保持部１４の段３２とマスター印受１６Ａの上面とによって出来る溝２２Ａによって、回転可能に狭着保持されて組み付けられている。
ここで爪２７は、どのような形状であってもよく、例えば図１４に示すような矢印３７の様な形状であっても可能である。
【００１７】
第２の実施例の材質は、マスター保持部１４、マスター印受１６Ａ、外周印受２０Ａは、熱可塑性の合成樹脂等、インキに侵されない樹脂であれば使用可能である。特に、マスター保持部１４は、金属であっても良い。
また、保持溝２８は、マスター保持部１４の中に設けられているが、回転ベルト印４を変更する為に回転させる際に、外装体９とマスター印部１５Ａを分離して回転ベルト印４の露呈をなくす必要がない構成であれば、直接外装体９にマスター小印部３４を保持することも可能である。
【００１８】
本発明の第２の実施例のその他は、図１３より本発明の意図するところであり、マスター印受１６Ａの上面に１対の相対するフック３３を立設させ、マスター保持部１４に前記フック３３をもって係合保持されるとともに、外周印部１９Ａをマスター印受１６Ａの上面とマスター保持部１４の下面とで回転可能に狭着している。
この例は、あらかじめ孔３１と窓１８を一致させておいてマスター印受１６Ａの外周上面に外周印受２０Ａに設けたリブ２３Ａを載せた状態でマスター保持部１４に押しあて、フック３３をマスター保持部１４に係合させる。
分離する際には、マスター保持部１４を外装体９より下方に下げて、フック３３を指等で内側に押しやれば、マスター保持部１４とマスター小印部３４と外周印部１９Ａを分離することが出来、更に自由な組合せが可能となる。
本発明は、特に回転印との組合せの中で構成されているが、普通の固定印について使用も可能である。
【００１９】
【効果】
以上の様な構成であるので、第１の実施例は、外周印部のみを交換する際、容易に着脱が可能でありマスター印部１５の印面との組合せが自由に行なうことが出来る。更に、第２の実施例では、マスター小印部３４と外周印部１９Ａがマスター保持部１４に容易に着脱可能であるので、マスター小印部３４の印面と外周印部１９Ａの印面を自由に組み合わせることが出来る回転印である。
【００２０】
【図面の簡単な説明】
【図１】本発明の外周印面が日付けの説明図
【図２】本発明の外周印面が時間の説明図
【図３】本発明の第１の実施例の正面断面説明図
【図４】本発明の第１の実施例の側面断面説明図
【図５】本発明の第１の実施例のマスター印部１５の上方斜視図
【図６】本発明の第１の実施例のマスター印部１５の下方斜視図
【図７】本発明の第１の実施例のマスター印部１５の分解斜視図
【図８】本発明の第２の実施例の正面一部断面説明図
【図９】本発明の第２の実施例の側面一部断面説明図
【図１０】本発明の第２の実施例の底面図
【図１１】本発明の第２の実施例のマスター保持部１４の凹部３６を有する底面図
【図１２】本発明の第２の実施例の外周印部１９Ａの凸部３５を有する底面図
【図１３】本発明の第２の実施例のマスター小印部３４の斜視図
【図１４】本発明の第２の実施例でその他の実施例の一部拡大断面説明図
【図１５】本発明の第２の実施例の矢印形状の爪２７の使用時の拡大略説明図
【符号の説明】
１  ：枠
２  ：軸
３  ：回転子
４  ：回転ベルト印
５  ：ベルト支持片
６  ：ねじ
７  ：調節用ナット
８  ：固定ナット
９  ：外装体
１０  ：調節板
１１  ：握り部
１２  ：螺子
１３  ：ナット
１４  ：マスター保持部
１５  ：マスター印部
１６  ：マスター印受
１７  ：マスター印
１８  ：窓
１９  ：外周印部
２０  ：外周印受
２１  ：外周印
２２  ：溝
２３  ：リブ
２４  ：切欠
２６  ：回転印部
２７  ：爪
２８  ：保持溝
２９  ：保持爪挿入口
３０  ：脚
３１  ：孔
３２  ：段
３３  ：フック
３４  ：マスター小印部
３５  ：凸部
３６  ：凹部
【図１】
0003850121.tif 000002
【図２】
0003850121.tif 000003
【図３】
0003850121.tif 000004
【図４】
0003850121.tif 000005
【図５】
0003850121.tif 000006
【図６】
0003850121.tif 000007
【図７】
0003850121.tif 000008
【図８】
0003850121.tif 000009
【図９】
0003850121.tif 000010
【図１０】
0003850121.tif 000011
【図１１】
0003850121.tif 000012
【図１２】
0003850121.tif 000013
【図１３】
0003850121.tif 000014
【図１４】
0003850121.tif 000015
【図１５】
0003850121.tif 000016